(57)【要約】【課題】洗剤進入防止の別部品を設けることなく、操作パネル部の締結部が洗剤で破壊されることのない安価な洗濯機を提供すること。【解決手段】水槽１０８の上方に配置されるとともにケース収容部１２８に収容される洗剤収容ケース１２５と、洗剤収容ケース１２５への給水を制御する制御弁と、樹脂成形され、操作ボタン部および表示部を有する操作パネル１１０とを備え、ケース収容部１２８の外周と操作パネル１１０とを締結する操作パネル１１０のネジ取付部１１０ｃにフィルムを一体成形したものである。これにより、洗剤進入防止の別部品を設けることなく、操作パネルの締結部が洗剤で破壊されにくくすることができる。【選択図】図４
2012217535.tif 000002
【特許請求の範囲】
【請求項１】
洗濯水を貯留する水槽と、
前記水槽に収容される洗濯槽と、
前記水槽の上方に配置されるとともにケース収容部に収容される洗剤収容ケースと、
前記洗剤収容ケースへの給水を制御する制御弁と、
樹脂成形され、操作ボタン部および表示部を有する操作部とを備え、
前記ケース収容部の外周と前記操作部とを締結する前記操作部の締結部にフィルムを一体成形した洗濯機。
【発明の詳細な説明】
【技術分野】
【０００１】
本発明は、インサート成形を施した操作パネルを有する洗濯機に関する。
【背景技術】
【０００２】
洗濯機は操作パネル部を有しており、この操作パネル部において電源の入／切などの機器動作制御を行う。この種の操作パネルは、ＬＥＤの光を透過させるため、一般に透過性の高いＡＢＳ樹脂の表面にＰＥＴフィルムをインサート成形している（例えば、特許文献１参照）。
【０００３】
従来例を図５、６を用いて説明する。図５は、従来の洗濯機の全体斜視図を示すものである。図６は従来の洗濯機の操作表示パネル部の要部断面図を示すものである。
【０００４】
操作表示パネル１６は、前部枠体５の上方と天板１８との間に配置され、透光性を有する透明樹脂部１９の表面がインサート成形されたフィルム２０（ＰＥＴフィルム）で覆われて着色、印刷が施された化粧面を成し、押圧操作部２１や発光表示部２２を有する。透明樹脂部１９は、一般的に透明ＡＢＳ基材が使用されている。透明ＡＢＳは、耐薬処方を施したものを不透明材料と比較すると、一般的に耐洗剤性が劣る。
【０００５】
洗濯機はその使用用途から洗剤が使用される。洗剤を使用する際に洗濯機の外郭樹脂部品に洗剤が付着することがあることから、洗濯機の外郭樹脂には、おもに耐薬品性の高いＰＰ樹脂や、耐薬品グレードの透明ＡＢＳ樹脂が広く使用されている。
【０００６】
一方で、洗濯に使用される洗剤は、環境に配慮している。具体的には、従来すすぎ２回から、すすぎ１回でも使用できる洗剤が発売されている。この洗剤は、洗剤に含まれる界面活性剤の濃度が従来品より高くなっているため、透明ＡＢＳ樹脂を損傷させやすい。具体的な試験方法としては、１／４楕円治具法による耐薬品性評価方法が一般的である。
【０００７】
従来の一般的な液体洗剤と濃縮液体洗剤を比較した場合、臨界ひずみ値が、例えば、０．４％から０．２％に悪化する。このため、濃縮洗剤のパッケージには、樹脂部品に付着した場合は、水洗いをしてください、の旨の注意文が記載されている場合が多い。よって濃縮液体洗剤が操作表示パネルに付着した場合、外郭樹脂が破損する可能性がある。
【先行技術文献】
【特許文献】
【０００８】
【特許文献１】特開２０１１−５６０４４号公報
【発明の概要】
【発明が解決しようとする課題】
【０００９】
しかしながら、上記従来の構成では、透明ＡＢＳ樹脂にＰＥＴフィルムをインサート成形した操作部を、本体に締結する固定用の締結部に洗剤を誤って付着させる可能性がある。誤って付着させた場合、樹脂内部に洗剤が浸透する前に水で洗剤をふき取ることが出来ればよいが、洗剤の付着を放置すると、固定用締結部が破損し、操作パネルの取付が不安定となり、充電部などに触れる恐れがあるという課題を有していた。
【００１０】
本発明は、前記従来の課題を解決するもので、洗剤進入防止の別部品を設けることなく、操作パネル部の締結部が洗剤で破壊されにくい安価な洗濯機を提供することを目的とする。
【課題を解決するための手段】
【００１１】
前記従来の課題を解決するために、本発明の洗濯機は、洗濯水を貯留する水槽と、前記水槽に収容される洗濯槽と、前記水槽の上方に配置されるとともにケース収容部に収容される洗剤収容ケースと、前記洗剤収容ケースへの給水を制御する制御弁と、樹脂成形され、操作ボタン部および表示部を有する操作部とを備え、前記ケース収容部の外周と前記操作部とを締結する前記操作部の締結部にフィルムを一体成形したものである。
【００１２】
これによって、洗剤進入防止の別部品を設けることなく、操作パネル部の締結部が洗剤で破壊されにくい安価な洗濯機を提供することができる。
【発明の効果】
【００１３】
本発明の洗濯機は、操作部と本体部との締結部に耐洗剤性に優れたＰＥＴフィルムをインサート成形したので、洗剤進入防止の別部品を設けることなく、操作パネル部の締結部が洗剤で破壊されにくい安価な洗濯機を提供することができる。
【図面の簡単な説明】
【００１４】
【図１】本発明の実施の形態１における洗濯機の全体斜視図
【図２】本発明の実施の形態１における洗濯機の断面図
【図３】本発明の実施の形態１における操作パネルの構成を示す斜視図
【図４】本発明の実施の形態１における操作パネルの取付構成を示す斜視図
【図５】従来の洗濯機の全体斜視図
【図６】従来の洗濯機の操作表示パネル部の要部断面図
【発明を実施するための形態】
【００１５】
第１の発明の洗濯機は、洗濯水を貯留する水槽と、前記水槽に収容される洗濯槽と、前記水槽の上方に配置されるとともにケース収容部に収容される洗剤収容ケースと、前記洗剤収容ケースへの給水を制御する制御弁と、樹脂成形され、操作ボタン部および表示部を有する操作部とを備え、前記ケース収容部の外周と前記操作部とを締結する前記操作部の締結部にフィルムを一体成形したものである。
【００１６】
このような構成によって、洗剤進入防止の別部品を設けることなく、操作パネル部の締結部が洗剤で破壊されにくくすることができる。
【００１７】
また、締結部のＰＥＴフィルムは可色していないため、外観を損ねることがない。また、ＡＢＳ樹脂とＰＥＴフィルムは、インサート成形をしているため、接着されている状態となっている。このため、洗剤で締結部が破壊されても、ＰＥＴ樹脂に接着された状態のため、締結部の部品が飛散せず、締結状態が保持される。
【００１８】
また、ＰＥＴフィルムにより、直接操作パネル基材に洗剤が付着しないため、締結部のように応力がかかる場所に適している。
【００１９】
以下、本発明の実施の形態１について、図面を参照しながら説明する。なお、実施の形態によって本発明が限定されるものではない。
【００２０】
（実施の形態１）
図１は、本発明の実施の形態１における洗濯機の全体斜視図を示すものである。図２は、本発明の実施の形態１における洗濯機の断面図を示すものである。
【００２１】
洗濯機本体１００の正面壁１０３上部には、ＡＢＳ樹脂で成形された操作部である操作パネル１１０が取り付けられている。使用者は、操作パネル１１０の操作ボタン部および表示部を通じて、洗濯機本体１００の動作に関連する情報、例えば、洗い、すすぎ、脱水、乾燥の時間に関する情報や使用される洗剤に関する情報を入力および視認することができる。
【００２２】
洗濯機本体１００は、正面壁１０３に回動可能に取り付けられた扉体１０５を更に備える。使用者は、扉体１０５を開閉することで、回転ドラム１０９内の洗濯物を出し入れすることができる。
【００２３】
処理槽１０６は、衣類を洗濯するために用いられる洗濯水を貯留する水槽１０８と、水槽１０８内に配設される回転ドラム１０９とを含む。回転ドラム１０９は、略円筒状の周壁１１１と、投入口１０７に対向する底壁１１２と、を含む。水槽１０８は、回転ドラム１０９の周壁１１１を取り囲む略円筒状の周壁１１３と、回転ドラム１０９の底壁１１２に沿う底壁１１４とで構成されている。回転ドラム１０９は、水槽１０８に対して、略同心に配設される。
【００２４】
洗濯機本体１００は、回転ドラム１０９の底壁２１２から、水槽１０８の底壁１１５を貫き、底壁１１５から突出する回転シャフト１１６と、水槽１０８の下方に配設された駆動モータ１１７と、駆動モータ１１７の駆動力を回転シャフト１１６に伝達する駆動ベルト１１８とを更に備える。駆動モータ１１７が作動すると、駆動ベルト１１８及び回転シャフト１１６を通じて、回転ドラム１０９に駆動力が伝達され、回転ドラム１０９は、水槽１０８内で回転する。
【００２５】
洗濯機本体１００は、主筐体１０２の底壁１１９と処理槽１０６とを接続するダンパ要素１２０と、主筐体１０２の天壁と処理槽１０６とを接続するサスペンション要素１２１とを更に備える。主筐体１０２内で、処理槽１０６を支持するダンパ要素１２０及びサスペンション要素１２１は、回転ドラム１０９の回転に伴う処理槽１０６の振動を減衰させる。したがって、主筐体１０２には、処理槽１０６からの振動はほとんど伝達されない。
【００２６】
洗濯機本体１００は、制御装置１２２を更に備える。制御装置１２２は、洗濯機本体１００の様々な動作を制御する。例えば、使用者が操作パネル１１０を操作し、洗濯機本体１００の洗濯動作を指示すると、制御信号を出力し、駆動モータ１１７を作動させる。
【００２７】
洗濯機本体１００は、主筐体１０２内に水を供給するための給水口１２３を更に備える。
【００２８】
洗濯機本体１００は、天壁の下方に配設された給水ユニット１２４を更に備える。給水ユニット１２４は、水槽１０８の上方に配置され洗剤を収容する洗剤収容ケース１２５を更に備える。また給水ユニット１２４は、給水口１２３に接続され洗剤ケース１２５への給水を制御する制御弁（図示せず）と、制御弁が固定される外面を含む筐体とを含む。処理槽１０６へ水を供給するための流路（図示せず）が形成される。
【００２９】
洗剤収容ケース１２５内には、洗い工程で用いられる洗剤やすすぎ工程で用いられる柔軟剤が収容される。
【００３０】
図１に示される如く、洗剤収容ケース１２５は、使用者が指を挿入できるように形成された取手部１２６を含む。使用者は、取手部１２６を用いて、洗剤収容ケース１２５を筐体から引き出すことができる。この結果、洗剤収容ケース１２５の内部は、主筐体１０２の外に露出する。その後、使用者は、洗剤や柔軟剤を洗剤収容ケース１２５内に投入し、洗剤収容ケース１２５を筐体のケース収納部１２８内に押し込むことができる。
【００３１】
図３は、本発明の実施の形態１における操作パネルの構成を示す斜視図である。基材１１０ａに、ＰＥＴフィルム１１０ｂが、インサート成型により形成される。締結部であるネジ取付部１１０ｃにもＰＥＴフィルムがインサート成形により一体成形される。
【００３２】
図４は、本発明の実施の形態１における操作パネルの取付構成を示す斜視図である。操作パネル１１０と正面壁１０３の取付けは、固定用ネジ１２７で略正面から固定される。固定用ネジ１２７は、洗剤収容ケース１２５が収納されるケース収納部１２８にて、操作パネル１１０を洗濯機本体１００のケース収納部１２８の右外周部に取り付けている。このため固定用ネジ１２７は、洗剤および洗剤を含んだ洗濯水に接する可能性が高く、ネジ取付部１１０ｃが洗剤により劣化破壊しやすくなる。このような環境のネジ取付部１１０ｃをＰＥＴフィルムで皮膜することにより、ネジ取付部１１０ｃの強度が増し、洗剤で締結部が破壊されても、ＰＥＴ樹脂に接着された状態のため、締結部の部品が飛散せず、締結状態が保持される。
【００３３】
また、ＰＥＴフィルムにより、直接操作パネル基材に洗剤が付着しにくいため、締結部のように応力がかかる場所に適している。さらに、締結部のＰＥＴフィルムは可色していないため、外観を損ねることがない。
【００３４】
このような構成により、洗剤進入防止の別部品を設けることなく、操作パネル部の締結部が洗剤で破壊されにくい安価な洗濯機を提供することができる。
【産業上の利用可能性】
【００３５】
以上のように、本発明にかかる洗濯機は、安価に構成できるので、洗剤投入口や柔軟剤投入口を設けた家庭用の洗濯機、食器洗い機などの洗浄機器に登載可能である。
【符号の説明】
【００３６】
１００    洗濯機本体
１０２    主筐体
１０３    正面壁
１０５    扉体
１０６    処理槽
１０７    投入口
１０８    水槽
１０９    回転ドラム（洗濯槽）
１１０    操作パネル（操作部）
１１０ａ  基材
１１０ｂ  ＰＥＴフィルム
１１０ｃ  ネジ取付部（締結部）
１２５    洗剤収容ケース
１２６    取手部
１２７    固定用ネジ
１２８    ケース収納部
【図１】
2012217535.tif 000003
【図２】
2012217535.tif 000004
【図３】
2012217535.tif 000005
【図４】
2012217535.tif 000006
【図５】
2012217535.tif 000007
【図６】
2012217535.tif 000008